(57)【要約】  送信側において、直交変調手段は、キャリアリーク調整時、受信側と異なる周波数の搬送波を用いて送信信号を直交変調する。フィードバック手段は、直交変調して得られた変調波を受信側に折り返す。受信側において、直交復調手段は、折り返された変調波を直交復調する。位相固定手段は、直交復調で得られた信号の位相を送信側に合わせて固定する。オフセット検出手段は、位相の固定された信号の時間平均をとることにより直流オフセットを検出する。送信側において、オフセット調整手段は、受信側で検出された直流オフセットの値に基づいて、直交変調する送信信号の直流オフセットを補正する。
2009075144.tif 000002
【特許請求の範囲】
【請求項１】
キャリアリーク調整時、受信側と異なる周波数の搬送波を用いて送信信号を直交変調する直交変調手段と、
前記直交変調手段による直交変調で得られた変調波を受信側に折り返すフィードバック手段と、
前記フィードバック手段で折り返された前記変調波を直交復調する直交復調手段と、
前記直交復調手段による直交復調で得られた信号の位相を送信側に合わせて固定する位相固定手段と、
前記位相固定手段によって位相の固定された信号の時間平均をとることにより直流オフセットを検出するオフセット検出手段と、
前記オフセット検出手段で検出された前記直流オフセットの値に基づいて、前記直交変調手段で直交変調する前記送信信号の直流オフセットを補正する第１のオフセット調整手段と、を有する無線通信装置。
【請求項２】
前記直交復調手段で得られた信号の時間平均をとることにより直流オフセットを検出し、検出した値に基づいて前記信号の直流オフセットを補正し、得られた信号を前記位相固定手段に送る第２のオフセット調整手段を更に有する、請求項１に記載の無線通信装置。
【請求項３】
前記オフセット検出手段は、前記位相固定手段によって位相の固定された前記信号から検出した直流オフセットの値に基づいて、該信号の直流オフセットを補正する第３のオフセット調整手段を兼ねており、
前記無線通信装置は、
キャリアリーク調整時、前記直流変調手段に入力するための所定のパタンを生成するパタン生成手段と、
前記第３のオフセット調整手段で直流オフセットの補正された信号から前記パタンを検出することによりキャリア再生位相を確定させるパタン検出手段と、を更に有する、請求項１または２に記載の無線通信装置。
【請求項４】
キャリアリーク調整時、前記パタン生成手段で生成された前記パタンの信号を、前記直交変調手段で直交変調する前記送信信号として用い、前記パタン検出手段は、前記パタンが検出された位相をキャリア再生位相として確定する、請求項３に記載の無線通信装置。
【請求項５】
前記パタン生成手段で生成された前記パタンを定期的に送信信号に挿入しており、前記パタン検出手段は、定期的に挿入された前記パタンが検出された位相をキャリア再生位相として確定する、請求項３に記載の無線通信装置。
【請求項６】
前記パタンが挿入された信号を回転対称マッピングするマップ手段と、
前記マップ手段で得られた信号を、最上位パスについて前後のシンボル間の差分を取った上で、前記直交変調手段で直交変調する前記送信信号として送信する第１の差動変換手段と、
前記第３のオフセット調整手段からの出力を、前記第１の差動変換手段と逆の操作をした上で、出力する第２の差動変換手段と、
前記第２の差動変換手段からの出力を回転対称デマッピングし、得られた信号を前記パタン検出手段に送るデマップ手段と、を更に有し、
キャリアリーク調整時、前記第１の差動変換手段と前記第２の差動変換手段は信号を変換する動作を停止する、請求項５に記載の無線通信装置。
【請求項７】
前記第１のオフセット調整手段による直流オフセットの補正の後に前記オフセット検出手段により検出される直流オフセットが所定の閾値より小さくなるまで、前記第１のオフセット調整手段による直流オフセットの補正と前記オフセット検出手段による直流オフセットの検出とを繰り返し行わせる制御手段を更に有する、請求項１から６のいずれか１項に記載の無線通信装置。
【請求項８】
直流オフセットを装置内で調整するための直流オフセット調整方法であって、
送信側において、
キャリアリーク調整時、受信側と異なる周波数の搬送波を用いて送信信号を直交変調し、
直交変調して得られた変調波を受信側に折り返し、
受信側において、
折り返された前記変調波を直交復調し、
直交復調で得られた信号の位相を送信側に合わせて固定し、
位相の固定された信号の時間平均をとることにより直流オフセットを検出し、
送信側において、
受信側で検出された前記直流オフセットの値に基づいて、直交変調する前記送信信号の直流オフセットを補正する、
直流オフセット調整方法。
【請求項９】
受信側において、
直交復調で得られた前記信号の時間平均をとることにより直流オフセットを検出し、検出した値に基づいて前記信号の直流オフセットを補正し、直流オフセットが補正された信号に対して位相を固定する処理を行う、請求項８に記載の直流オフセット調整方法。
【請求項１０】
送信側において、所定のパタンを生成して前記送信信号に用い、
受信側において、
位相の固定された前記信号から検出した前記直流オフセットを送信側に通知すると共に、該直流オフセットに基づいて該信号の直流オフセットを補正し、
直流オフセットを補正した前記信号から前記パタンを検出することによりキャリア再生位相を確定させる、請求項８または９に記載の直流オフセット調整方法。
【請求項１１】
送信側において、キャリアリーク調整時、生成した前記パタンの信号を前記送信信号として用い、
受信側において、前記パタンが検出された位相をキャリア再生位相として確定する、請求項１０に記載の直流オフセット調整方法。
【請求項１２】
送信側において、生成した前記パタンを定期的に前記送信信号に挿入しており、
受信側において、定期的に挿入された前記パタンが検出された位相をキャリア再生位相として確定する、請求項１０に記載の直流オフセット調整方法。
【請求項１３】
送信側において、
前記パタンの挿入された信号を回転対称マッピングし、
前記回転対称マッピングで得られた信号を、最上位パスについて前後のシンボル間の差分を取る差動変換操作を行った上で、前記送信信号として直交変調し、
受信側において、
直流オフセットの補正された前記信号を、前記差動変換操作の逆の操作を行った上で、回転対称デマッピングし、得られた信号から前記パタンを検出しており、
キャリアリーク調整時には前記差動変換操作と該差動変換操作の逆の操作とを停止する、請求項１２に記載の直流オフセット調整方法。
【請求項１４】
送信側での直流オフセットの補正の後に受信側で検出される直流オフセットが所定の閾値より小さくなるまで、送信側での直流オフセットの補正と受信側での直流オフセットの検出とを繰り返す、請求項８から１３のいずれか１項に記載の直流オフセット調整方法。
【請求項１５】
直流オフセットを装置内で調整するための処理をコンピュータに実行させるための直流オフセット調整プログラムであって、
キャリアリーク調整時、送信側において、受信側と異なる周波数の搬送波を用いて送信信号を直交変調し、直交変調して得られた変調波を受信側に折り返すように設定する設定手順と、
受信側において、折り返された前記変調波に対する直交復調で得られる信号の位相を送信側に合わせて固定し、位相の固定された信号の時間平均をとることにより検出される直流オフセットの値に基づいて、送信側に、直交変調する前記送信信号の直流オフセットを補正させる補正手順と、
受信側において検出される補正後の直流オフセットの値を所定の閾値と比較し、前記補正後の直流オフセットの値が前記閾値以上であれば前記補正手順に戻り、前記補正後の直流オフセットの値が前記閾値より小さければ、前記設定手順で行った設定を解除して調整を完了させる判定手順と、をコンピュータに実行させるための直流オフセット調整プログラム。
【発明の詳細な説明】
【技術分野】
【０００１】
本発明は、変調に伴って生じる直流オフセットを補正する技術に関する。
【背景技術】
【０００２】
無線通信装置にはＱＡＭ（Ｑｕａｄｒａｔｕｒｅ  Ａｍｐｌｉｔｕｄｅ  Ｍｏｄｕｌａｔｉｏｎ）などの直交変調を用いるものがある。【０００３】
デジタル回路技術を用いた変調方式であっても、多くの場合、直交変調にはアナログ回路が用いられる。直交変調器への入力がベースバンドのアナログ信号であるため、その入力信号に振幅オフセットや直流（ＤＣ：Ｄｉｒｅｃｔ  Ｃｕｒｒｅｎｔ）オフセットなどのオフセットが含まれてしまうことは避けられない。【０００４】
直交変調を用いる無線通信装置では、直交変調器のＩ／Ｑの入力信号にＤＣオフセットが含まれていると、ＤＣオフセットが搬送波成分となって直交変調器から出力される。この搬送波成分がキャリアリークとなって、受信感度の低下といった、通信性能への悪影響を及ぼす。最悪の場合にはキャリアリークの影響で変調波が規格から外れる可能性もある。【０００５】
そのため、無線通信装置においてＤＣオフセットを補正することによりキャリアリークを低減する技術が提案されている（特開２００７−２０８３８０号公報参照）。  特開２００７−２０８３８０号公報には、送信側の直交変調器で変調された変調波を無線通信装置内で受信側に折り返して、受信側で変調波からＤＣオフセットの値を算出し、得られたＤＣオフセット値に基づいて送信側の直交変調器への入力信号を調整するという構成の無線通信装置が開示されている。
【発明の開示】
【０００６】
無線通信装置の送信側でＤＣオフセットが生じる主な箇所は、デジタル信号がアナログ信号に変換されて直交変調器に入力される部分である。変調波を送信側から受信側に折り返し、受信側で検出されたＤＣオフセットを送信側で補正するのは、その送信側で生じるＤＣオフセットを送信側で補正するためである。
【０００７】
しかし、  特開２００７−２０８３８０号公報に開示されているように、折り返しを用いる構成では、送信側で生じたＤＣオフセットに、他の部分で生じたＤＣオフセットを加えた値で送信側を補正してしまう恐れがあった。例えば、送信側の直交変調器だけでなく、受信側の直交復調器もアナログ回路で構成された無線通信装置では、受信側で直交復調器から出力されたアナログ信号がデジタル信号に変換される部分でもＤＣオフセットが発生する。
【０００８】
しかしながら、  特開２００７−２０８３８０号公報に開示された無線通信装置では、送信側で発生するＤＣオフセットと、他のＤＣオフセットを区別する構成となっていない。そのため、送信側で発生したＤＣオフセットと、受信側で発生したＤＣオフセットとを合わせた値で送信側の直交変調器への入力信号を調整することとなる。その結果、調整の誤差が大きくなる可能性があった。
【０００９】
受信側の回路ではなく、スペクトラムアナライザ等の測定回路を用いて、送信側で生成された変調波を測定しながら、人手でＤＣオフセットを調整する方法では、個々の装置の調整に時間がかかり、コストも増大していた。
【００１０】
本発明の目的は、送信側で発生した直流オフセットを容易に補正することのできる無線通信装置および直流オフセット調整方法を提供することである。
【００１１】
上記目的を達成するために、本発明の一態様による無線通信装置は、
キャリアリーク調整時、受信側と異なる周波数の搬送波を用いて送信信号を直交変調する直交変調手段と、
前記直交変調手段による直交変調で得られた変調波を受信側に折り返すフィードバック手段と、
前記フィードバック手段で折り返された前記変調波を直交復調する直交復調手段と、
前記直交復調手段による直交復調で得られた信号の位相を送信側に合わせて固定する位相固定手段と、
前記位相固定手段によって位相の固定された信号の時間平均をとることにより直流オフセットを検出するオフセット検出手段と、
前記オフセット検出手段で検出された前記直流オフセットの値に基づいて、前記直交変調手段で直交変調する前記送信信号の直流オフセットを補正する第１のオフセット調整手段と、を有している。
【００１２】
また、本発明の一態様による直流オフセット調整方法は、直流オフセットを装置内で調整するための直流オフセット調整方法であって、
送信側において、
キャリアリーク調整時、受信側と異なる周波数の搬送波を用いて送信信号を直交変調し、
直交変調して得られた変調波を受信側に折り返し、
受信側において、
折り返された前記変調波を直交復調し、
直交復調で得られた信号の位相を送信側に合わせて固定し、
位相の固定された信号の時間平均をとることにより直流オフセットを検出し、
送信側において、
受信側で検出された前記直流オフセットの値に基づいて、直交変調する前記送信信号の直流オフセットを補正する、直流オフセット調整方法である。
【図面の簡単な説明】
【００１３】
【図１】本実施形態の無線通信装置の構成を示すブロック図である。
【図２】第１の実施例の無線通信装置の構成を示すブロック図である。
【図３】オフセット調整器２４の具体的な構成を示す図である。
【図４】自動ＤＣオフセット調整器３４の具体的な構成を示す図である。
【図５】キャリアリーク調整時の無線通信装置の動作を示すフローチャートである。
【図６】自動ＤＣオフセット調整器３４ａ，３４ｂへ入力される信号のコンスタレーションを示す図である。
【図７】自動ＤＣオフセット調整器３６ａ，３６ｂへ入力される信号のコンスタレーションを示す図である。
【図８】第２の実施例の無線通信装置の構成を示すブロック図である。
【図９】第３の実施例の無線通信装置の構成を示すブロック図である。
【図１０】ＱＡＭデマップ回路の構成を示すブロック図である。
【発明を実施するための最良の形態】
【００１４】
本発明の実施形態について図面を参照して詳細に説明する。【００１５】
図１は、本実施形態の無線通信装置の構成を示すブロック図である。図１を参照すると、無線通信装置は、送信側に、オフセット調整部１０、直交変調部１１、および局部発振器１２を有し、受信側に、直交復調部１４、局部発振器１５、位相固定部１６、およびオフセット検出部１７を有している。さらに、無線通信装置はフィードバック部１３を有し、フィードバック部１３で送信変調波を受信側にフィードバックし、受信側で検出されるＤＣオフセットの値に基づいて送信側のＤＣオフセットを調整する機能を備えている。以下、このＤＣオフセットの調整を「キャリアリーク調整」という。【００１６】
オフセット調整部１０は、キャリアリーク調整を行うとき、受信側のオフセット検出部１７で検出されたＤＣオフセットの値に基づいて、直交変調部１１に入力する送信信号のＤＣオフセットを調整する。【００１７】
直交変調部１１は、入力された送信信号を局部発振器１２からの搬送波によって直交変調し、得られた送信変調波を出力する。直交変調部１１から出力された送信変調波はフィードバック部１３に入力される。【００１８】
局部発振器１２は、直交変調部１１での直交変調に用いられる搬送波を生成する発振器である。局部発振器１２は、周波数可変形の発振器であり、キャリアリーク調整のために送信変調波をフィードバックするときと、送信変調波をフィードバックせずに通信相手に送信するときとで異なる周波数の搬送波を出力する。送信変調波をフィードバックせずに通信相手に送信するときの搬送波の周波数は通常の通信時の周波数であり、受信側の局部発振器１５によって生成される搬送波と同じ周波数である。一方、キャリアリーク調整時の周波数は、通常の通信時に用いる周波数と所定値だけ異なる周波数である。【００１９】
フィードバック部１３は、キャリアリーク調整を行うとき、送信側の直交変調部１１からの送信変調波を受信側の直交復調部１４に折り返す。【００２０】
直交復調部１４は、フィードバック部１３からの変調波を、局部発振器１５からの搬送波によって直交復調し、得られた信号を位相固定部１６に送る。キャリアリーク調整のために送信変調波をフィードバック部１３でフィードバックしたときに、位相固定部１６に入力される受信信号には、送信側の直交変調部１１への入力にて生じたＤＣオフセットだけでなく、他の部分で生じたＤＣオフセットも含まれていることがある。【００２１】
位相固定部１６は、入力した信号の位相を送信側に合わせて固定し、得られた信号をオフセット検出部１７に入力する。【００２２】
オフセット検出部１７は、位相固定部１６からの信号の時間平均をとることによりＤＣオフセットを検出し、そのＤＣオフセットの値を送信側のオフセット調整部１０に通知する。送信側で生じたＤＣオフセットの成分の位相が位相固定部１６によって固定されるので、オフセット検出部１７では、その成分が時間平均で消滅せずに検出される。【００２３】
本実施形態では、送信側の局部発振器１２の周波数を受信側の局部発振器１５の周波数と異なる値として、送信側の直交変調部１１から出力される送信変調波を受信側の直交復調部１４に折り返す。受信側では、位相固定部１６が直交復調部１４の出力の位相を固定し、オフセット検出部１７が位相固定部１７の出力を時間平均することにより、送信側で生じた分のＤＣオフセットを検出する。送信側では、オフセット検出部１７で検出された分だけ直交変調部１１の入力のＤＣオフセットを補正する。つまり、送信側の直交変調の周波数を受信側の直交復調の周波数と異なる値としておき、直交復調後の信号の位相を固定して時間平均をとることによりＤＣオフセットを検出し、検出されたＤＣオフセットに基づいて、送信側の直交変調への入力のＤＣオフセットを補正する。したがって、本発明によれば、送信側で発生したＤＣオフセットを容易に補正することができる。【００２４】
なお、本実施形態の無線通信装置は、キャリアリーク調整を行うとき、送信側の局部発振器１２における周波数の変更と、フィードバック部１３における折り返しの設定と、受信側のオフセット検出部１７で検出されるＤＣオフセットの送信側のオフセット調整部１０への通知とを一連の処理として制御する制御部を更に備える構成であってもよい。【００２５】
また、本実施形態の直交変調部１５と位相固定部１６の間に、もう１つのオフセット調整部を備え、そのオフセット調整部で、直交変調部１５からの信号の時間平均をとることによりＤＣオフセットを検出し、そのＤＣオフセットを補正することにしてもよい。送信側の局部発振器１２と受信側の局部発振器１５とで周波数が異なるので、位相固定部１６で位相を固定する前の段階では、送信側で生じたＤＣオフセットは位相が回転する。この段階で時間平均をとった値でＤＣオフセットを補正することにより、受信側の局部発振器１５の搬送波と位相が固定したＤＣオフセットを予め除去しておくことができる。【００２６】
また、本実施形態の位相固定部１６は、例えばＰＬＬ（Ｐｈａｓｅ−ｌｏｃｋｅｄ  ｌｏｏｐ）で構成されるキャリア再生回路であってもよく、オフセット検出部１７は、キャリア再生後の信号のＤＣオフセットを補正するためのオフセット調整回路であってもよい。その場合、オフセット検出部１７（オフセット調整回路）は、自身でＤＣオフセットの補正を行うと共に、その調整値をオフセット調整部１０に通知すればよい。それにより、無線通信装置は送信側でＤＣオフセットを調整するために専用の測定回路を備える必要が無く、回路規模が大きくなるのが抑えられる。【００２７】
また、オフセット調整部１０と、直交変調部１１と、直交復調部１４と、位相固定部１６を構成するＰＬＬと、オフセット検出部１７を構成するオフセット調整回路とを集積回路によって構成し、ＤＣオフセットの調整をデジタル処理で行うことにしてもよい。【００２８】
また、本実施形態では、送信側に周波数可変の局部発振器１２を備えておき、キャリアリーク調整時に、局部発振器１２は、受信側の局部発振器１５で生成される搬送波の周波数と異なる周波数の搬送波を生成する例を示したが、本発明はこれに限定されるものではない。送信側に、通常時用の局部発振器と、キャリアリーク調整時用の局部発振器とを備え、切り替えて使用することにしてもよい。【００２９】
また、本実施形態では、キャリアリーク調整時に送信側の搬送波の周波数を変化させる例を示したが、本発明はこれに限定されるものではない。キャリアリーク調整時に受信側の搬送波の周波数を変化させることにしてもよい。【００３０】
（第１の実施例）
本実施形態の具体的な実施例について説明する。【００３１】
図２は、第１の実施例の無線通信装置の構成を示すブロック図である。図２を参照すると、無線通信装置は、パタン発生器２１、スイッチ２２、フィルタ２３、オフセット調整器２４ａ，２４ｂ、ＤＡ変換器２５ａ，２５ｂ、直交変調器２６、局部発振器２７、スイッチ２８、方向性結合器２９、アンテナ３０、局部発振器３１、直交復調器３２、ＡＤ変換器３３ａ，３３ｂ、自動ＤＣオフセット調整器３４ａ，３４ｂ、複素乗算器３５、自動ＤＣオフセット調整器３６ａ，３６ｂ、キャリア位相検出器３７、ループフィルタ３８、数値制御発振器３９、パタン検出器４０、および制御器４１を有している。【００３２】
パタン発生器２１は、キャリアリーク調整時に、試験用の所定の信号を出力するものである。試験用の信号はＤＣ成分の無い、例えばランダムパタンである。本実施例ではＱＡＭ変調方式が用いられているものとする。そのため、パタン発生器２１の出力は、パタンデータをＱＡＭマッピングして得られるＩ信号およびＱ信号となる。また、この信号を無線通信装置の送信側で変調し、受信側で復調するため、受信側でパタン検出が可能な既知の信号系列をパタンデータとして用いるのがよい。例えばＭ系列などの擬似乱数信号を用い、それをＱＡＭマッピングすることが望ましい。パタン発生器２１の出力信号はスイッチ２へ接続される。【００３３】
無線通信装置への入力信号とパタン発生器２１からの信号とがスイッチ２２へ接続されており、スイッチ２２は制御器４１からの制御信号に従って、それらのいずれかを選択して出力する。通常の通信時には外部から無線通信装置に入力された信号を選択し、キャリアリーク調整時にはパタン発生器２１からの信号を選択する。図２には、キャリアリーク調整時のスイッチの様子、すなわちＡ側が選択されている状態が示されている。【００３４】
フィルタ２３は、スイッチ２２から入力された信号を波形整形して出力するフィルタである。このフィルタ２３によって送信スペクトラムの形状が決定されるので、システムに要求されるスペクトラム形状が得られるような特性のフィルタがフィルタ２３として用いられる。一般的にはデジタルフィルタが用いられる。デジタルフィルタのタップ係数を調節することによりスペクトラム形状を決定することができる。フィルタ２３の出力はオフセット調整器４に接続されている。【００３５】
オフセット調整器２４ａ，２４ｂは、フィルタ２３からの信号に対してＤＣオフセットを与える機能を持つ。オフセット調整器２４ａがＩチャネル用であり、オフセット調整器２４ｂがＱチャネル用である。オフセット調整器２４ａとオフセット調整器２４ｂは同じ構成であるが、ＩチャネルとＱチャネルのそれぞれに対して独立にＤＣオフセットの調整が行われる。そのため、制御器４１からはオフセット調整器２４ａとオフセット調整器２４ｂのそれぞれに個別のＤＣオフセットの信号が入力される。【００３６】
図３は、オフセット調整器２４の具体的な構成を示す図である。図３を参照すると、加算器４２が、フィルタ２３からの信号（図では信号入力）と、制御器４１からのＤＣオフセットの信号（図では補正入力）とを加算している。これにより、直交変調器２６の入力に含まれているＤＣオフセットが打ち消される。【００３７】
ＤＡ変換器２５ａ、２５ｂは、オフセット調整器２４ａ，２４ｂからのデジタル信号をアナログ信号に変換し、直交変調器２６に送る。ＤＡ変換器２５ａがＩチャネル用であり、ＤＡ変換器２５ｂがＱチャネル用である。【００３８】
直交変調器２６は、ＤＡ変換器２５ａ、２５ｂでＤＡ（デジタル／アナログ）変換されたアナログのベースバンド信号を、局部発振器２７からの搬送波によって直交変調する。【００３９】
局部発振器２７は、直交変調に用いる搬送波を生成する発振器である。局部発振器２７は周波数可変形の発振器であり、キャリアリーク調整時と通常運用時とで発振周波数が異なる。局部発振器２７は、通常時は、受信側の局部発振器３１と同じＩＦ（Ｉｎｔｅｒ−Ｆｒｅｑｕｅｎｃｙ：中間周波数）の周波数ωｃで発振する。一方、キャリアリーク調整時には、局部発振器２７は、局部発振器３１と差分周波数ω１だけ異なる周波数（ωｃ＋ω１）（または（ωｃ−ω１））で発振する。この差分周波数ω１は、キャリアリーク調整中に、受信側のキャリア再生を行うＰＬＬへの入力におけるキャリア周波数の偏差となる。そのため、受信側のＰＬＬが周波数を引き込むことができるように、ＰＬＬのキャプチャレンジに対して小さい値に設定される。【００４０】
スイッチ２８は、キャリアリーク調整時と通常時とで切り替わるスイッチであり、切り換えは制御器４１からの制御信号に従って行う。スイッチ２８は、キャリアリーク調整時にはＡ側を選択し、送信側の直交変調器２６からの信号を受信側の直交復調部３２に折り返す。一方、通常時にはスイッチ２８はＢ側を選択し、直交変調器２６からの信号をアンテナ３０から送信し、アンテナ３０で受信された信号を直交復調器３２に入力する。【００４１】
方向性結合器２９は、スイッチ２８とアンテナ３０の間に配置され、送信側の信号と受信側の信号とを結合および分離する。【００４２】
アンテナ３０は送信と受信に共用のアンテナであり、方向性結合器２９に接続されている。【００４３】
局部発振器３１は直交復調に使用される周波数ωｃの搬送波を生成する。【００４４】
直交復調器３２はスイッチ２８からの信号に対して、局部発振器３１からの搬送波を用いて直交復調を行う。直交復調器３２からのＩ信号はＡＤ変換器３３ａに送られ、Ｑ信号はＡＤ変換器３３ｂに送られる。【００４５】
ＡＤ変換器３３ａ，３３ｂは、直交復調器３２による直交復調で得られたＩ，Ｑの２チャネルのアナログのベースバンド信号をそれぞれデジタル信号にＡＤ（アナログ／デジタル）変換する。ＡＤ変換器３３ａ，がＩチャネル用であり、ＡＤ変換器３５ｂがＱチャネル用である。【００４６】
自動ＤＣオフセット調整器３４ａ，３４ｂにはＡＤ変換器３３ａ，３３ｂからの信号がそれぞれ入力される。キャリアリーク調整時に、自動オフセット調整部３４ａ，３４ｂに入力される信号には、送信側で生じたＤＣオフセットと、受信側で生じたＤＣオフセットとが含まれている。自動ＤＣオフセット調整器３４ａ，３４ｂは、主に受信側で生じたＤＣオフセットを補正する。【００４７】
図４は、自動ＤＣオフセット調整器３４の具体的な構成を示す図である。図４を参照すると、加算器４３を通った信号入力を入力とする利得調整器４４と、その出力を入力とする積分器４５とによって、時間平均の平均値であるＤＣオフセットが検出される。このＤＣオフセットの信号が積分器４５から加算器４３に出力される。【００４８】
キャリアリーク調整時には、送信側の局部発振器２７の周波数と、受信側の局部発振器３２の周波数とが異なるので、送信側で生じたＤＣオフセットの成分は、オフセット調整部３４ａ，３４ｂの入力に、位相の回転する成分として現れる。この位相が回転している成分は時間平均をとったときに消滅する。【００４９】
加算器４３は、ＡＤ変換器３３からの信号（図では信号入力）と、積分器４５からのＤＣオフセットに相当する信号とを加算する。【００５０】
信号入力はランダム信号であるためＤＣオフセットがなければ、その平均値は０となるはずである。しかしＤＣオフセットがあれば、平均値には０からの偏りがでる。その偏りが積分器４５で検出される。信号入力に含まれているＤＣオフセットのうち受信側で生じた分は平均値に現れるため打ち消され、送信側で生じた分は補正されずに残る。【００５１】
なお、ここで利得調整器４４が積分器２４に入力する信号の振幅を調節することにより、自動ＤＣオフセット調整器３４における補正時定数が決まる。【００５２】
複素乗算器３５、キャリア位相検出器３７、ループフィルタ３８、および数値制御発振器３９でキャリア再生用のＰＬＬが構成されている。【００５３】
キャリア位相検出器３７は、自動ＤＣオフセット調整器３６ａ，３６ｂから出力された信号の信号点の位置からキャリア位相のずれ（位相誤差）を検出する。ループフィルタ３８は、キャリア位相検出器１７で検出された位相誤差を積分することにより、周波数ずれ量を検出する。ループフィルタ３８で検出された周波数ずれ量を示す信号が数値制御発振器３９に入力される。数値制御発振器３９は、ループフィルタ３８から入力された信号によって示されている周波数で発振する。数値制御発振器３９は複素乗算器３５で必要なサイン波の信号およびコサイン波の信号を出力する。複素乗算器３５は数値制御発振器３９からの信号（位相回転信号）を用いて、自動ＤＣオフセット調整器３４ａ，３４ｂからの入力信号に位相回転を与えることにより、キャリア位相を固定する。【００５４】
自動ＤＣオフセット調整器３６ａ，３６ｂは、図４に示した自動オフセット調整器３４ａ，３４ｂと同じ構成である。ただし、自動ＤＣオフセット調整器３６ａ，３６ｂは積分器４５から出力されるＤＣオフセットの信号を制御器４１にも送るところが自動オフセット調整器３４ａ，３４ｂと異なっている。自動ＤＣオフセット調整器３６ａ，３６ｂは、複素乗算器３５からの出力に含まれるＤＣオフセットを補正し、補正後のＩ信号およびＱ信号を外部に出力すると共にパタン検出器４０およびキャリア位相検出器３７にも送る。【００５５】
パタン検出回路４０は、自動ＤＣオフセット調整器３６ａ，３６ｂの出力から、キャリアリーク調整時に送信側のパタン発生器２１の送出する信号を検出することにより、キャリア再生位相を求めて制御器４１に送る。これにより直交復調におけるキャリア再生位相の不確定性を排除することが可能となる。【００５６】
制御器４１は各部の動作を制御する制御器であり、キャリアリーク調整時には所定の手順に従って各部の動作を制御する。制御器４１には、キャリアリーク調整を開始するためのトリガ信号（調整開始信号）と、パタン検出器４０からのキャリア再生位相を示す信号と、自動ＤＣオフセット調整器１６からのＤＣオフセットの制御値を示す信号とが入力されている。制御器４１は調整開始信号によってキャリアリーク調整を開始する。詳細な動作については後述するが、制御器４１はキャリアリーク調整時、各部を制御するために、スイッチ２２，２８における選択を切り替えるための信号と、局部発振器２７の発信周波数を制御するための信号と、ＤＣオフセット調整器２４ａ，２４ｂへのＤＣオフセットの補正値を示す信号とを出力する。また、制御器４１は、キャリアリーク調整が完了すると、その旨を示す信号（調整完了信号）を出力する。【００５７】
続いて本実施例の無線通信装置によるキャリアリーク調整の詳細な動作について説明する。【００５８】
無線通信装置の電源が投入された直後、あるいはキャリアリーク調整が要求されたとき、制御器４１に対して調整開始信号が入力され、制御器４１によってキャリアリーク調整が開始される。【００５９】
図５は、キャリアリーク調整時の無線通信装置の動作を示すフローチャートである。図５を参照すると、制御器４１は、まずキャリアリーク調整を行うための設定を行う（ステップ１０１）。具体的には、制御器４１は、スイッチ２２に制御信号を送ってＡ側を選択させることにより、パタン発生器２１からの調整用の信号をフィルタ２３に入力させる。また、制御器４１は、スイッチ２８に制御信号を送ってＡ側を選択させることにより、直交変調器６から出力される信号を直交復調器１２に折り返させる。さらに、制御器４１は、局部発振器２７に対して、予め設定されているキャリアリーク調整用の周波数（ωｃ＋ω１）で発振するように指示する制御信号を送る。さらに、制御器４１は、ＤＣオフセット調整器２４ａ，２４ｂに対して初期値を設定する。【００６０】
以上の設定を行うと、直交変調器２６からは、パタン発生器２１の発生したパタンを変調した変調波が出力される。この変調波は、受信側の局部発振器３１の生成する搬送波と差分周波数ω１だけ周波数の異なる搬送波成分（ωｃ＋ω１またはωｃ−ω１）を持っている。【００６１】
この変調波はスイッチ２８を経て受信側の直交復調器３２に入力される。直交復調器３２では、変調波は、局部発振器３１により生成された搬送波により直交復調され、Ｉ信号とＱ信号の２系列のベースバンド信号となる。【００６２】
直交復調器３２から出力される信号には、送信側の局部発振器２７の生成する搬送波の周波数と、受信側の局部発振器３１の生成する搬送波の周波数との差分ω１だけ周波数オフセットが残っている。そのため、直交復調器３２から出力される信号のキャリア位相はω１ｔで回転している。【００６３】
直交復調器３２から出力された信号はＡＤ変換器３３ａ，３３ｂでデジタル信号に変換された後にキャリア再生用のＰＬＬに入力される。キャリア位相の回転はキャリア再生用のＰＬＬによって止められる。これにより復調が完了する。【００６４】
このときパタン検出器４０では、パタン発生器２１で生成されたパタンの検出が行われる。信号点の位置からキャリア再生しようとするとき、４通りの引き込み位相が存在するため、そのうちのどの位相で引き込みを行うかをパタン検出器４０で判定しておく。【００６５】
図１のように直交変調と直交復調の両方にアナログ回路を使用する構成において、復調結果に大きな影響を与えるようなＤＣオフセットが加わる箇所として、送信側のＤＡ変換器２５から直交変調器２６までの間と、受信側の直交復調器３２からＡＤ変換器３３までの間とがある。ここでは、送信側で生じるＤＣオフセットを第１のＤＣオフセットといい、受信側で生じるＤＣオフセットを第２のＤＣオフセットということにする。【００６６】
まず第２のＤＣオフセットの補正について説明する。【００６７】
直交復調器３２から出力される信号には、局部発振器の周波数の差分で決まる位相回転ω１ｔが残っている。図６は、自動ＤＣオフセット調整器３４ａ，３４ｂへ入力される信号のコンスタレーションを示す図である。仮に変調方式がＱＰＳＫであるとすると、図６に示されているように、信号点はω１ｔで回転する円に見える。そして、直交復調器３２からＡＤ変換器３３ａ，３３ｂまでの間で生じるＩチャネルとＱチャネルのＤＣオフセットは、そのままＩとＱの各軸のオフセットとなる。その結果、コンスタレーションの円は中心が原点からずれたものとなる。このずれとして見える第２のＤＣオフセットは、各軸の信号の平均値を求めることにより検出することができる。自動ＤＣオフセット調整器３４ａ，３４ｂは、この第２のＤＣオフセットを検出し、自動調整する。【００６８】
さらに、自動ＤＣオフセット調整器３４ａ，３４ｂによって第２のＤＣオフセットが取り除かれた信号は、キャリア再生用のＰＬＬによって位相回転を止められる。図７は、自動ＤＣオフセット調整器３６ａ，３６ｂへ入力される信号のコンスタレーションを示す図である。位相回転の止まった信号の第１のＤＣオフセットは、図７に示すように、信号点のＩとＱの各軸のオフセットとして現れる。【００６９】
この第１のＤＣオフセットは自動ＤＣオフセット補正器３６ａ，３６ｂにより補正される。受信側で生じた第２のＤＣオフセットが既に補正されているので、自動ＤＣオフセット補正器３６ａ，３６ｂにおける制御値（検出値）は、そのまま送信側の直交変調器２６のオフセットを示す。【００７０】
復調結果のＩとＱの各軸の値は、直交変調器２６へ入力されたＩ信号とＱ信号のいずれかの信号が再生されたものである。ただし、９０度毎のステップで複数のキャリア引き込み位相があることに起因して、復調結果のＩ信号とＱ信号には不確定性がある。つまり、得られたＩ信号とＱ信号のそれぞれのＤＣオフセットの値は、送信側のＩチャネルとＱチャネルのいずれかの信号のＤＣオフセットもしくはそれらの極性が反転したものである。【００７１】
なお、送信側の局部発振器２７と受信側の局部発振器３１の発振周波数が異なっていることによって、上述したように第１のＤＣオフセットと第２のＤＣオフセットを区別して調整することが可能となっている。これらの局部発振器２７，３１が同じ周波数で発振している場合、直交復調器３２から出力される信号のキャリア周波数が０となり、第１のＤＣオフセットのベクトルと第２のオフセットのベクトルの間の関係が固定されてしまう。そうなると、第１のＤＣオフセットと第２のオフセットを区別することができない。【００７２】
２つの局部発振器２７，３１の周波数がω１だけずれていれば、キャリア再生前の段階では第１のＤＣオフセットの成分はω１ｔで回転するので、自動ＤＣオフセット調整器３４で入力信号を時間平均するところで見えなくなる。【００７３】
また、キャリア再生後の段階では、第２のＤＣオフセットは自動ＤＣオフセット調整器３４による補正で消えており、自動ＤＣオフセット調整器３６には第１のＤＣオフセットのみが見える。自動ＤＣオフセット調整器３６は、見えている第１のＤＣオフセットを補正すればよい。【００７４】
キャリア引き込み位相については、パタン検出器４０によりパタン検出によって、複素乗算器３５から出力されるＩチャネルの信号とＱチャネルの信号のそれぞれが、送信側のＩチャネルの信号とＱチャネルの信号のいずれに相当するか判別できる。したがって、制御器４１は、自動ＤＣオフセット調整器３６の制御値と、パタン検出器４０により判別された引き込み位相とから、ＤＣオフセット調整器２４に与える制御値を求めることができる。【００７５】
制御器４１は、このようにして検出された自動ＤＣオフセット調整器３６での制御値を送信側のＤＣオフセット調整器２４に設定する（ステップ１０２）。【００７６】
その後、系が安定するまでの時間をとってから、制御器４１は再び自動ＤＣオフセット制御器３６での制御値を検出し（ステップ１０３）、検出された制御値（検出値）が所定の閾値より小さいか否か判定する（ステップ１０４）。【００７７】
検出値が閾値以上であれば、制御器４１はステップ１０２に戻って処理を繰り返す。一方、検出値が閾値よりも小さくなっていれば、制御器４１は第１のＤＣオフセットが十分に補正された、すなわちキャリアリークが補正されたと判断する。その場合、制御器４１は調整完了信号を出力して、各部を通常運用の設定に戻す（ステップ１０５）。このとき、スイッチ２２およびスイッチ２８は通常時の設定であるＢ側に倒される。局部発振器２７は周波数ωｃで発振するように設定される。【００７８】
なお、図５のフローチャートに示した無線通信装置の一連の動作は制御器４１により制御される。制御器４１は、プロセッサがソフトウェアプログラムを実行することにより実現されるものであってもよい。【００７９】
（第２の実施例）
図２に示した第１の実施例では、直交変調と直交復調の両方をアナログ回路で実現する例を示したが、第２の実施例では直交復調をデジタル的な処理で行う場合の例について説明する。本実施例では、受信側で直交復調器から出力されたアナログ信号がデジタル信号に変換される部分が無いので、原理的に第２のＤＣオフセットがない。そのため本実施例の無線通信装置には、図２の自動ＤＣオフセット調整器３４ａ，３４ｂに相当する部分が無い。【００８０】
図８は、第２の実施例の無線通信装置の構成を示すブロック図である。図８を参照すると、無線通信装置は、パタン発生器２１、スイッチ２２、フィルタ２３、オフセット調整器２４ａ，２４ｂ、ＤＡ変換器２５ａ，２５ｂ、直交変調器２６、局部発振器２７、スイッチ２８、方向性結合器２９、アンテナ３０、局部発振器５１、周波数変換器５２、ＡＤ変換器３３、デジタル直交復調器５３、複素乗算器３５、自動ＤＣオフセット調整器３６ａ，３６ｂ、キャリア位相検出器３７、ループフィルタ３８、数値制御発振器３９、パタン検出器４０、および制御器４１を有している。【００８１】
パタン発生器２１、スイッチ２２、フィルタ２３、オフセット調整器２４ａ，２４ｂ、ＤＡ変換器２５ａ，２５ｂ、直交変調器２６、局部発振器２７、スイッチ２８、方向性結合器２９、アンテナ３０、複素乗算器３５、自動ＤＣオフセット調整器３６ａ，３６ｂ、キャリア位相検出器３７、ループフィルタ３８、数値制御発振器３９、パタン検出器４０、および制御器４１は、図２に示した第１の実施例と同じものである。【００８２】
局部発振器５１は、周波数変換に使用される周波数ωｃの搬送波を生成する。周波数変換機５３は、局部発振器５１からの搬送波を用いて、スイッチ２８からの信号を周波数変換する。ＡＤ変換器３３は、周波数変換器５２で周波数変換されたアナログのＩＦ信号をデジタル信号に変換し、デジタル直交復調器５３に送る。【００８３】
デジタル直交復調器５３は、入力されたＩＦ信号に対して、デジタル的な処理により直交復調を行い、得られたＩチャネルとＱチャネルのベースバンド信号を複素乗算器３５に送る。【００８４】
（第３の実施例）
第１の実施例では、引き込むキャリア位相を確定させるために、所定のパタンの信号を出力するパタン発生器２１と、その信号を検出するパタン検出器４０を用いる例を示した。第３の実施例には、引き込み位相を他の方法で判別する例を示す。第３の実施例の無線通信装置は回転対称マッピングおよび差動変換を使用する。この系はＱＡＭ方式において用いられることが多い。【００８５】
図９は、第３の実施例の無線通信装置の構成を示すブロック図である。図９を参照すると、無線通信装置は、フレームパタン挿入器６１、ＱＡＭマップ回路６２、差動変換器６３、フィルタ２３、オフセット調整器２４ａ，２４ｂ、ＤＡ変換器２５ａ，２５ｂ、直交変調器２６、局部発振器２７、スイッチ２８、方向性結合器２９、アンテナ３０、局部発振器３１、直交復調器３２、ＡＤ変換器３３ａ，３３ｂ、自動ＤＣオフセット調整器３４ａ，３４ｂ、複素乗算器３５、自動ＤＣオフセット調整器３６ａ，３６ｂ、キャリア位相検出器３７、ループフィルタ３８、数値制御発振器３９、差動変換器６４、ＱＡＭデマップ回路６５、フレームパタン検出器６６、および制御器４１を有している。【００８６】
フィルタ２３、オフセット調整器２４ａ，２４ｂ、ＤＡ変換器２５ａ，２５ｂ、直交変調器２６、局部発振器２７、スイッチ２８、方向性結合器２９、アンテナ３０、局部発振器３１、直交復調器３２、ＡＤ変換器３３ａ，３３ｂ、自動ＤＣオフセット調整器３４ａ，３４ｂ、複素乗算器３５、自動ＤＣオフセット調整器３６ａ，３６ｂ、キャリア位相検出器３７、ループフィルタ３８、数値制御発振器３９、および制御器４１は、図２に示した第１の実施例と同じものである。【００８７】
フレームパタン挿入器６１は、例えば装置の外部から入力された、送信しようとするデータに対して、定期的に所定の固定パタン（フレームパタン）を挿入し、ＱＡＭマッピング部６２に送る。受信側ではフレームパタンを検出することにより、送信データのフレーム構造を認識することができる。【００８８】
ＱＡＭマップ回路６２は、フレームパタンの挿入された信号を、ＱＡＭ回転対称配置にマッピングする。【００８９】
差動変換器６３は、制御器４１からの制御信号に従って、差動変換の実行と停止を制御する差動変換器である。差動変換を実行するとき、差動変換器６３は、ＱＡＭマッピングされた信号の最上位パスに対しては、前後のシンボル間の差分を取り、その差分を送信する。受信側で、その逆の操作をすることによりキャリア引き込みの不確定性を排除するものである。この方法はＱＡＭ方式ではよく用いられる。差動変換を実行しないとき、差動変換器６３は、入力した信号をそのまま出力する。差動変換器６３の出力はフィルタ２３に送られる。【００９０】
受信側では、自動ＤＣオフセット調整器３６ａ，３６ｂの出力が差動変換器６４に入力される。【００９１】
差動変換器６４は、制御器４１からの制御信号に従って、差動変換の実行と停止を制御する差動変換器であり、入力した信号に対して送信側の差動変換器６３と逆の操作をする。差動変換器６４からの出力はＱＡＭデマップ回路６５に送られる。【００９２】
ＱＡＭデマップ回路６５は、送信側のＱＡＭマップ回路６２でマッピングされた信号をもとの信号に戻す処理を行う。【００９３】
図１０は、ＱＡＭデマップ回路の構成を示すブロック図である。図１０を参照すると、ＱＡＭデマップ回路６５は、−１倍回路７１ａ，７１ｂおよびデマップ回路７２ａ〜７２ｄを有している。ＱＡＭデマップ回路６５へはＩチャネルの信号とＱチャネルの信号が入力される。【００９４】
−１倍回路７１ａは、入力したＱチャネルの信号を−１倍する。−１倍回路７１ｂは、入力したＩチャネルの信号を−１倍する。【００９５】
デマップ回路７２ａは、入力したＩチャネルの信号をＩチャネルの入力として用い、入力したＱチャネルの信号をＱチャネルの入力として用いてＱＡＭのデマッピングの処理を行う。デマップ回路７２ａの出力は０度回転データとなる。【００９６】
デマップ回路７２ｂは、入力したＩチャネルの信号をＱチャネルの入力として用い、−１倍されたＱチャネルの信号をＩチャネルの入力として用いてＱＡＭのデマッピングの処理を行う。デマップ回路７２ｂの出力は９０度回転データとなる。【００９７】
デマップ回路７２ｃは、−１倍されてＩチャネルの信号をＩチャネルの入力として用い、−１倍されたＱチャネルの信号をＱチャネルの入力として用いてＱＡＭのデマッピングの処理を行う。デマップ回路７２ｃの出力は１８０度回転データとなる。【００９８】
デマップ回路７２ｄは、−１倍されたＩチャネルの信号をＱチャネルの入力として用い、入力したＱチャネルの信号をＩチャネルの入力として用いてＱＡＭのデマッピングの処理を行う。デマップ回路７２ｄの出力は２７０度回転データとなる。【００９９】
デマップ回路７２ａ〜７２ｄから出力された４つの位相のデマップ信号はフレームパタン検出器６６へ送られる。【０１００】
フレームパタン検出器６６は、ＱＡＭデマップ回路６５からの４つの位相のデマップ信号からフレームパタンを検出し、フレームパタンが検出された位相をキャリア位相として制御器４１に通知する。【０１０１】
本実施例の無線通信装置によるキャリアリーク調整の動作について説明する。【０１０２】
調整開始信号が入力されると、制御器４１は送信側の差動変換器６３と受信側の差動変換器６４に対して差動変換の停止を指示するための制御信号を送信する。これはキャリア再生位相を確定できるようにするためである。また、制御器４１は、オフセット調整器２４ａ，２４ｂに対して初期値を設定する。更に、制御器４１は、送信側の局部発振器２７に対して予め設定されたキャリアリーク調整用の周波数（（ωｃ＋ω１）または（ωｃ−ω１））で発振するように指示するための制御信号を送信する。更に、制御器４１は、スイッチ２８にＡ側を選択させるための制御信号を送信する。【０１０３】
制御器４１が以上の設定をすると、受信側では所定のキャリア位相でキャリアが再生される。フレームパタン検出器６６では、ＱＡＭデマップ回路６５からの４つの位相の信号に対してフレームパタンの検出が実行される。そして、キャリア再生の位相は、フレームパタンが検出された信号の位相に確定される。この時点でキャリア再生位相が確定するので、自動ＤＣオフセット調整器３６ａ，３６ｂの制御値が直交変調器２６のいずれの入力のＤＣオフセットに相当するかが判断できる。その判断結果に従って第１の実施例と同様にしてオフセット調整器２４ａ，２４ｂに、補正すべきＤＣオフセットの値を設定すれば、キャリアリークを調整することができる。【０１０４】
第１の実施例に示したキャリア位相の判定方法や第３の実施例に示したキャリア位相の判定方法は例示であり、他の判定方法を用いることもできる。例えば、キャリア再生位相の検出に差動変換を使用しないシステムでは、そのシステムにおいて可能な方法で検出されたキャリア位相を用いればよい。【０１０５】
以上、実施形態および実施例を参照して本発明を説明したが、本発明は実施形態および実施例に限定されるものではない。クレームに定義された本発明の構成や詳細には、発明のスコープ内で当業者が理解し得る様々な変更をすることができる。【０１０６】
この出願は、２００７年１２月１０日に出願された日本出願特願２００７−３１８４４４を基礎として優先権の利益を主張するものであり、その開示の全てを引用によってここに取り込む。
【図１】
2009075144.tif 000003
【図２】
2009075144.tif 000004
【図３】
2009075144.tif 000005
【図４】
2009075144.tif 000006
【図５】
2009075144.tif 000007
【図６】
2009075144.tif 000008
【図７】
2009075144.tif 000009
【図８】
2009075144.tif 000010
【図９】
2009075144.tif 000011
【図１０】
2009075144.tif 000012
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
キャリアリーク調整時、受信側と異なる周波数の搬送波を用いて送信信号を直交変調する直交変調手段と、
前記直交変調手段による直交変調で得られた変調波を受信側に折り返すフィードバック手段と、
前記フィードバック手段で折り返された前記変調波を直交復調する直交復調手段と、
前記直交復調手段による直交復調で得られた信号の位相を送信側に合わせて固定する位相固定手段と、
前記位相固定手段によって位相の固定された信号の時間平均をとることにより直流オフセットを検出するオフセット検出手段と、
前記オフセット検出手段で検出された前記直流オフセットの値に基づいて、前記直交変調手段で直交変調する前記送信信号の直流オフセットを補正する第１のオフセット調整手段と、
前記位相固定手段によって位相の固定された前記信号から検出した直流オフセットの値に基づいて、該信号の直流オフセットを補正する第３のオフセット調整手段と、
キャリアリーク調整時、前記直流変調手段に入力するための所定のパタンを生成するパタン生成手段と、
前記第３のオフセット調整手段で直流オフセットの補正された信号から前記パタンを検出することによりキャリア再生位相を確定させるパタン検出手段と、
を有する無線通信装置。
【請求項２】
前記直交復調手段で得られた信号の時間平均をとることにより直流オフセットを検出し、検出した値に基づいて前記信号の直流オフセットを補正し、得られた信号を前記位相固定手段に送る第２のオフセット調整手段を更に有する、請求項１に記載の無線通信装置。
【請求項３】
前記オフセット検出手段が前記第３のオフセット調整手段を兼ねる、請求項１または２に記載の無線通信装置。
【請求項４】
キャリアリーク調整時、前記パタン生成手段で生成された前記パタンの信号を、前記直交変調手段で直交変調する前記送信信号として用い、前記パタン検出手段は、前記パタンが検出された位相をキャリア再生位相として確定する、請求項１から３のいずれか１項に記載の無線通信装置。
【請求項５】
前記パタン生成手段で生成された前記パタンを定期的に送信信号に挿入しており、前記パタン検出手段は、定期的に挿入された前記パタンが検出された位相をキャリア再生位相として確定する、請求項１から３のいずれか１項に記載の無線通信装置。
【請求項６】
前記パタンが挿入された信号を回転対称マッピングするマップ手段と、
前記マップ手段で得られた信号を、最上位パスについて前後のシンボル間の差分を取った上で、前記直交変調手段で直交変調する前記送信信号として送信する第１の差動変換手段と、
前記第３のオフセット調整手段からの出力を、前記第１の差動変換手段と逆の操作をした上で、出力する第２の差動変換手段と、
前記第２の差動変換手段からの出力を回転対称デマッピングし、得られた信号を前記パタン検出手段に送るデマップ手段と、を更に有し、
キャリアリーク調整時、前記第１の差動変換手段と前記第２の差動変換手段は信号を変換する動作を停止する、請求項５に記載の無線通信装置。
【請求項７】
前記第１のオフセット調整手段による直流オフセットの補正の後に前記オフセット検出手段により検出される直流オフセットが所定の閾値より小さくなるまで、前記第１のオフセット調整手段による直流オフセットの補正と前記オフセット検出手段による直流オフセットの検出とを繰り返し行わせる制御手段を更に有する、請求項１から６のいずれか１項に記載の無線通信装置。
【請求項８】
直流オフセットを装置内で調整するための直流オフセット調整方法であって、
送信側において、
キャリアリーク調整時、受信側と異なる周波数の搬送波を用いて送信信号を直交変調し、
直交変調して得られた変調波を受信側に折り返し、
受信側において、
折り返された前記変調波を直交復調し、
直交復調で得られた信号の位相を送信側に合わせて固定し、
位相の固定された信号の時間平均をとることにより直流オフセットを検出し、
送信側において、
受信側で検出された前記直流オフセットの値に基づいて、直交変調する前記送信信号の直流オフセットを補正する、
直流オフセット調整方法であり、
その直流オフセット調整方法において、
送信側において、所定のパタンを生成して前記送信信号に用い、
受信側において、
位相の固定された前記信号から検出した前記直流オフセットを送信側に通知すると共に、該直流オフセットに基づいて該信号の直流オフセットを補正し、
直流オフセットを補正した前記信号から前記パタンを検出することによりキャリア再生位相を確定させる、直流オフセット調整方法。
【請求項９】
受信側において、
直交復調で得られた前記信号の時間平均をとることにより直流オフセットを検出し、検出した値に基づいて前記信号の直流オフセットを補正し、直流オフセットが補正された信号に対して位相を固定する処理を行う、請求項８に記載の直流オフセット調整方法。
【請求項１０】
（削除）
【請求項１１】
送信側において、キャリアリーク調整時、生成した前記パタンの信号を前記送信信号として用い、
受信側において、前記パタンが検出された位相をキャリア再生位相として確定する、請求項８または９に記載の直流オフセット調整方法。
【請求項１２】
送信側において、生成した前記パタンを定期的に前記送信信号に挿入しており、
受信側において、定期的に挿入された前記パタンが検出された位相をキャリア再生位相として確定する、請求項８または９に記載の直流オフセット調整方法。
【請求項１３】
送信側において、
前記パタンの挿入された信号を回転対称マッピングし、
前記回転対称マッピングで得られた信号を、最上位パスについて前後のシンボル間の差分を取る差動変換操作を行った上で、前記送信信号として直交変調し、
受信側において、
直流オフセットの補正された前記信号を、前記差動変換操作の逆の操作を行った上で、回転対称デマッピングし、得られた信号から前記パタンを検出しており、
キャリアリーク調整時には前記差動変換操作と該差動変換操作の逆の操作とを停止する、請求項１２に記載の直流オフセット調整方法。
【請求項１４】
送信側での直流オフセットの補正の後に受信側で検出される直流オフセットが所定の閾値より小さくなるまで、送信側での直流オフセットの補正と受信側での直流オフセットの検出とを繰り返す、請求項８から１３のいずれか１項に記載の直流オフセット調整方法。
【請求項１５】
直流オフセットを装置内で調整するための処理をコンピュータに実行させるための直流オフセット調整プログラムであって、
キャリアリーク調整時、送信側において、受信側と異なる周波数の搬送波を用いて送信信号を直交変調し、直交変調して得られた変調波を受信側に折り返すように設定する設定手順と、
受信側において、折り返された前記変調波に対する直交復調で得られる信号の位相を送信側に合わせて固定し、位相の固定された信号の時間平均をとることにより検出される直流オフセットの値に基づいて、送信側に、直交変調する前記送信信号の直流オフセットを補正させる補正手順と、
受信側において検出される補正後の直流オフセットの値を所定の閾値と比較し、前記補正後の直流オフセットの値が前記閾値以上であれば前記補正手順に戻り、前記補正後の直流オフセットの値が前記閾値より小さければ、前記設定手順で行った設定を解除して調整を完了させる判定手順と、をコンピュータに実行させるための直流オフセット調整プログラムであり、
送信側において、所定のパタンを生成して前記送信信号に用い、
受信側において、
位相の固定された前記信号から検出した前記直流オフセットを送信側に通知すると共に、該直流オフセットに基づいて該信号の直流オフセットを補正し、
直流オフセットを補正した前記信号から前記パタンを検出することによりキャリア再生位相を確定させる、直流オフセット調整方法。
【手続補正書】
【提出日】平成22年6月4日(2010.6.4)
【手続補正１】
【補正対象書類名】特許請求の範囲
【補正対象項目名】全文
【補正方法】変更
【補正の内容】
【特許請求の範囲】
【請求項１】
キャリアリーク調整時、受信側と異なる周波数の搬送波を用いて送信信号を直交変調する直交変調手段と、
前記直交変調手段による直交変調で得られた変調波を受信側に折り返すフィードバック手段と、
前記フィードバック手段で折り返された前記変調波を直交復調する直交復調手段と、
前記直交復調手段による直交復調で得られた信号の位相を送信側に合わせて固定する位相固定手段と、
前記位相固定手段によって位相の固定された信号の時間平均をとることにより直流オフセットを検出するオフセット検出手段と、
前記オフセット検出手段で検出された前記直流オフセットの値に基づいて、前記直交変調手段で直交変調する前記送信信号の直流オフセットを補正する第１のオフセット調整手段と、
前記位相固定手段によって位相の固定された前記信号から検出した直流オフセットの値に基づいて、該信号の直流オフセットを補正する第３のオフセット調整手段と、
キャリアリーク調整時、前記直流変調手段に入力するための所定のパタンを生成するパタン生成手段と、
前記第３のオフセット調整手段で直流オフセットの補正された信号から前記パタンを検出することによりキャリア再生位相を確定させるパタン検出手段と、
を有する無線通信装置。
【請求項２】
前記直交復調手段で得られた信号の時間平均をとることにより直流オフセットを検出し、検出した値に基づいて前記信号の直流オフセットを補正し、得られた信号を前記位相固定手段に送る第２のオフセット調整手段を更に有する、請求項１に記載の無線通信装置。
【請求項３】
前記オフセット検出手段が前記第３のオフセット調整手段を兼ねる、請求項１または２に記載の無線通信装置。
【請求項４】
キャリアリーク調整時、前記パタン生成手段で生成された前記パタンの信号を、前記直交変調手段で直交変調する前記送信信号として用い、前記パタン検出手段は、前記パタンが検出された位相をキャリア再生位相として確定する、請求項１から３のいずれか１項に記載の無線通信装置。
【請求項５】
前記パタン生成手段で生成された前記パタンを定期的に送信信号に挿入しており、前記パタン検出手段は、定期的に挿入された前記パタンが検出された位相をキャリア再生位相として確定する、請求項１から３のいずれか１項に記載の無線通信装置。
【請求項６】
前記パタンが挿入された信号を回転対称マッピングするマップ手段と、
前記マップ手段で得られた信号を、最上位パスについて前後のシンボル間の差分を取った上で、前記直交変調手段で直交変調する前記送信信号として送信する第１の差動変換手段と、
前記第３のオフセット調整手段からの出力を、前記第１の差動変換手段と逆の操作をした上で、出力する第２の差動変換手段と、
前記第２の差動変換手段からの出力を回転対称デマッピングし、得られた信号を前記パタン検出手段に送るデマップ手段と、を更に有し、
キャリアリーク調整時、前記第１の差動変換手段と前記第２の差動変換手段は信号を変換する動作を停止する、請求項５に記載の無線通信装置。
【請求項７】
前記第１のオフセット調整手段による直流オフセットの補正の後に前記オフセット検出手段により検出される直流オフセットが所定の閾値より小さくなるまで、前記第１のオフセット調整手段による直流オフセットの補正と前記オフセット検出手段による直流オフセットの検出とを繰り返し行わせる制御手段を更に有する、請求項１から６のいずれか１項に記載の無線通信装置。
【請求項８】
直流オフセットを装置内で調整するための直流オフセット調整方法であって、
送信側において、
キャリアリーク調整時、受信側と異なる周波数の搬送波を用いて送信信号を直交変調し、
直交変調して得られた変調波を受信側に折り返し、
受信側において、
折り返された前記変調波を直交復調し、
直交復調で得られた信号の位相を送信側に合わせて固定し、
位相の固定された信号の時間平均をとることにより直流オフセットを検出し、
送信側において、
受信側で検出された前記直流オフセットの値に基づいて、直交変調する前記送信信号の直流オフセットを補正する、
直流オフセット調整方法であり、
その直流オフセット調整方法において、
送信側において、所定のパタンを生成して前記送信信号に用い、
受信側において、
位相の固定された前記信号から検出した前記直流オフセットを送信側に通知すると共に、該直流オフセットに基づいて該信号の直流オフセットを補正し、
直流オフセットを補正した前記信号から前記パタンを検出することによりキャリア再生位相を確定させる、直流オフセット調整方法。
【請求項９】
受信側において、
直交復調で得られた前記信号の時間平均をとることにより直流オフセットを検出し、検出した値に基づいて前記信号の直流オフセットを補正し、直流オフセットが補正された信号に対して位相を固定する処理を行う、請求項８に記載の直流オフセット調整方法。
【請求項１０】
送信側での直流オフセットの補正の後に受信側で検出される直流オフセットが所定の閾値より小さくなるまで、送信側での直流オフセットの補正と受信側での直流オフセットの検出とを繰り返す、請求項８または９に記載の直流オフセット調整方法。
【国際調査報告】
2009075144.tif 000013
2009075144.tif 000014
2009075144.tif 000015
2009075144.tif 000016